(57)【要約】 【課題】車椅子の着座者がずり落ちたり、前方への傾倒がなく、かつ正常な座姿勢を維持できる車椅子用プロテクタ【解決手段】腰下に逆三角形状の強靭な布片からなるプロテクタ本体１を当て、上部に水平方向に縫着した腰部を固定する腰ベルト２、下部に両股をそれぞれ固定する２本の股ベルト６、７を縫着してあり、またさらに上部に胸当プロテクタ２１を延設し、両肩を固定するための肩掛けベルト３３、３４を上部に固定して、車椅子着座者が前方へ傾倒するのを防止できるようにするとともに正常な姿勢を維持できるようにした。【選択図】図４
2005143888.tif 000002
【特許請求の範囲】
【請求項１】
強靭な布で形成した腰下用のプロテクタの上部に、水平方向に腰部を固定するベルトを縫着し、その各先端部には、一方を係止部、他方を係合部としたバックルを固着し、プロテクタの下部には、股を固定する２本のベルト６、７が縫着され、それぞれの端部に係止具が取付けられてなる車椅子用プロテクタ
【請求項２】
腰下用のプロテクタの上部に胸当用のプロテクタを延設し、その上部に水平方向に胸ベルトを縫着してあり、この胸ベルトの先端部には、一方を係止部、他方を係合部としたバックルを固着し、さらに両肩を固定するための肩掛けベルト３３、３４が胸ベルト３２より上方に固着され、その先端が前記胸ベルト３２の背部側で巻着して固定されている請求項１に記載の車椅子用プロテクタ
【発明の詳細な説明】
【技術分野】
【０００１】
本発明は、車椅子の使用者がずり落ちたり、転倒したりするのを防止するための車椅子用安全ベルト付きプロテクタに関するものである。
【背景技術】
【０００２】
従来、車椅子にシートベルトを取り付けたり、車椅子の着座者の体に割ぽう着状のものを被せて固定して落下防止をする方式のものが存する。
シートベルト式は、図５に示すように、Ｔ字型であり、脚の股の間を通す1本のベルト４０と胴部を固定する水平なウエストベルト４１とからなっており、それぞれのベルトの端部を椅子に固定するものか、キャンパス地などの強靭な布でエプロン形状に作成したプロテクタ４２にウエスト固定用のベルト４１を逢着し、ベルトの両端を背もたれに固定あるいは背部で着脱自在に固定できるようにし、他方、プロテクタ４２の下端中央に逢着したベルト４０の端部を座板４３に固定している。使用者は、下部のベルトを中央にして脚を左右に振分けて腰掛け、胴部をウエストベルトで固定するようになっている。
【０００３】
割ぽう着式のものは、車椅子使用者が着衣し、この割ぽう着に取り付けたベルトを車椅子に固定するものである。
【特許文献１】特開２００２−２１２８０８
【特許文献２】実登３０８２４３８
【発明の開示】
【発明が解決しようとする課題】
【０００４】
しかし従来のＴ字型のベルトあるいはプロテクタが付いたものであっても、車椅子の着座者は、身体が不自由であったり、体の弱った患者、老人等であるため、股部および胴部にそれぞれ1本のベルトだけではベルト間に横の隙間ａが生じるばかりか、股のベルトも座板の先端を通過して座板の裏面にて固定されるため、着座者の股との間にも隙間ｂが生じ、着座者の股を緊締するものでないため、これらの隙間からずり落ちるおそれがある。また、上体が固定されないために、姿勢制御ができず、前方に傾倒してしまったり、正常な姿勢を保つことが困難である。
割ぽう着式のものはその着脱が面倒なばかりか、逆に着衣者の動きの自由が奪われてしまい不便である。
【課題を解決するための手段】
【０００５】
本発明は、体の弱い人、患者、身体不自由者等であっても、ずり落ちたり、前方へ傾倒したりせず、正常な姿勢を維持でき、また、着脱が容易な車椅子用の安全なプロテクタを提供することを課題とする。
そのために、本発明は、腰下に逆三角形状の強靭な布片からなるプロテクタを当て、上部に水平方向に縫着したベルトで腰部を固定し、下部に縫着した２本のベルトで両股を抱え込むように固定して車椅子着座者のずり落ちを防止するようにした。
【０００６】
またさらに、上部に胸当プロテクタを延設するとともに両肩を固定するための肩掛けベルトを上部に固定して、車椅子着座者が前方へ傾倒するのを防止できるようにするとともに正常な姿勢を維持できるようにもした。
【発明を実施するための最良の形態】
【０００７】
本発明を図１に示す実施例に従って説明する。
図１は、ベルト付きプロテクタの平面図である。中央部にキルティングの強靭な布で形成した逆三角形状の腰下用のプロテクタ本体１の上辺１ａに、水平方向にキャンバス地などの強靭な布で形成された腰ベルト２を縫着してある。この腰ベルトのそれぞれの先端部には、一方を係止部３、他方を係合部４とするバックルが固着されており、さらにどちらか一方側のベルトには長さ調整具５が取り付けてある。
【０００８】
プロテクタ本体１の下部１ｂには、左右斜め下方向にそれぞれ股ベルト６、７が縫着されており、それぞれの端部には係止用のフック８、９と長さ調整具１０、１１が取付けられている。
【０００９】
図２に、本発明の使用状態を示す。
車椅子１２に着座した者の下腹部にプロテクタ本体１を当て、股ベルト６、７を股の内側に上側より入れ上腿肢の下側を通し後方へ向わせ、ベルトの長さを調整具１０、１１で調整して、ベルトの先端のフック８、９を車椅子の後部のパイプ１３に係合する。腰ベルト２は腰の両側より車椅子の背もたれシート１４の背部に回され、バックル３、４同士が係合され固定される。その際ベルトが緊張するように長さ調整具５でベルトの長さを調整する。
このようにして、股が股ベルト、下腹部がプロテクタ本体そして腰部が腰ベルトで車椅子に堅固に固定される。
【実施例】
【００１０】
前記実施の形態に示すプロテクタ本体１を胸まで延長させた他の実施例を３、４に示す。
プロテクタ２１は、図１のプロテクタ本体１の上部に胴プロテクタ部を延接したものであり、上部に腰ベルトと同様に、水平方向に延びる胸ベルト３２を縫着してあり、この胸ベルトの先端部の一方には係止部２３、他方に係合部２４が固着され、どちらかの側にはベルトの長さ調整具２５が取り付けられている。
【００１１】
さらに胸ベルト３２より上方に肩掛けベルト３３、３４の一端が固着されており、他端は背部側で前記胸ベルト３２に巻着して固定されている。それぞれの胸ベルトには長さ調整具が取り付けられている。
【００１２】
図４に示す使用状態より判明するように、下部は図２に示すと同様に固定され、さらに胸部に胸ベルト３２を、腰ベルト２２と同様に車椅子の背もたれシート２４の背部で止着される。そして背部で胸ベルト３２に固定されている肩掛けベルト３３、３４に肩を通し、長さ調整をして上体が固定される。
【００１３】
このようにして、図２と同様に、股が股ベルト、下腹部がプロテクタ本体そして腰部が腰ベルトで車椅子に堅固に固定され、さらに上体が胸ベルト３２そして肩掛けベルト３３、３４で固定されるので、車椅子の着座者の体は、ベルトおよび上下のプロテクタにて緊締され、車椅子よりずり落ちたりするおそれがないばかりか、上体の前方への傾倒が防止され、そして正常な座姿勢を維持できる。
【図面の簡単な説明】
【００１４】
【図１】実施の形態平面図
【図２】図１の使用状態を示す図
【図３】別の実施例平面図
【図４】図２の使用状態を示す図
【図５】従来例の使用状態を示す図
【符号の説明】
【００１５】
１      プロテクタ
２      腰ベルト
３,４    バックル
５      長さ調整具
６,７      股ベルト
８,９      係止具
１０,１１      長さ調整具
１２      車椅子
１３      パイプ
１４      背もたれシート
２１      胸プロテクタ
３２      胸ベルト
３３,３４      肩掛けベルト
【図１】
2005143888.tif 000003
【図２】
2005143888.tif 000004
【図３】
2005143888.tif 000005
【図４】
2005143888.tif 000006
【図５】
2005143888.tif 000007